(57)【要約】【課題】必要以上に消費電力を大きくせずに、消費電力を低減すること。【解決手段】無線ＬＡＮデバイス部２０１は、無線回線を用いてアクセスポイントと通信を行う。開閉検出部２０３は、無線通信装置１０１の筐体の開閉を検出する。入力部２０４は、ユーザが無線通信装置１０１を操作するためのユーザインタフェースであり、ユーザによるボタンの押下等を検出する。ユーザ状態管理部２０５は、開閉検出部２０３または入力部２０４の検出結果に応じて、無線ＬＡＮ動作変更を指示する。無線ＬＡＮ制御部２０８は、ユーザ状態管理部２０５からの無線ＬＡＮ動作変更の指示により、無線ＬＡＮデバイス部２０１を制御する。【選択図】図２
2010028672.tif 000002
【特許請求の範囲】
【請求項１】
無線回線を用いて通信を行う無線通信手段と、
ユーザによる操作を検出する検出手段と、
前記検出手段の検出結果に応じて前記無線通信手段を制御する制御手段と、
を具備する無線通信装置。
【請求項２】
前記検出手段は、筐体を開いた状態から閉じた状態にする第１の操作を検出する、
請求項１記載の無線通信装置。
【請求項３】
前記制御手段は、前記検出手段が前記第１の操作を検出した場合に、前記無線通信手段を省電力モードにする、
請求項２記載の無線通信装置。
【請求項４】
前記無線通信手段は、無線ＬＡＮのアクセスポイントと通信を行い、
前記制御手段は、前記検出手段が前記第１の操作を検出した場合に、前記アクセスポイントから送信されるビーコンの送信間隔と同期させて前記無線通信手段を間欠的に起動させる、
請求項２記載の無線通信装置。
【請求項５】
前記制御手段は、前記閉じた状態において前記検出手段が所定時間内に操作キーに対する第２の操作を検出しない場合に、前記検出手段が前記第２の操作を検出した場合に比べて前記起動の間隔を大きくする、
請求項４記載の無線通信装置。
【請求項６】
受信品質を測定する受信品質測定手段と、
測定された前記受信品質をその変化に応じて変更して表示する表示手段と、をさらに具備し、
前記制御手段は、前記検出手段が前記第１の操作を検出した場合に前記測定を停止させる、
請求項２記載の無線通信装置。
【請求項７】
前記無線通信手段は、通信可能な無線ＬＡＮのアクセスポイントを間欠的に探索するとともに、前記探索により見つけたアクセスポイントと通信を行い、
前記制御手段は、前記検出手段が前記第１の操作を検出した場合に、前記検出手段が前記第１の操作を検出しない場合に比べて前記探索の周期を長くする、
請求項２記載の無線通信装置。
【請求項８】
受信品質を測定する受信品質測定手段と、
測定された前記受信品質をその変化に応じて変更して表示する表示手段と、をさらに具備し、
前記制御手段は、前記検出手段が前記第１の操作を検出した場合に、前記検出手段が前記第１の操作を検出しない場合に比べて前記表示の変更の頻度を少なくさせる、
請求項２記載の無線通信装置。
【請求項９】
前記検出手段は、操作キーに対する第２の操作を検出する、
請求項１記載の無線通信装置。
【請求項１０】
前記制御手段は、前記検出手段が所定時間内に前記第２の操作を検出しない場合に、前記無線通信手段を省電力モードにする、
請求項９記載の無線通信装置。
【請求項１１】
前記無線通信手段は、無線ＬＡＮのアクセスポイントと通信を行い、
前記制御手段は、前記検出手段が所定時間内に前記第２の操作を検出しない場合に、前記アクセスポイントから送信されるビーコンの送信間隔と同期させて前記無線通信手段を間欠的に起動させる、
請求項９記載の無線通信装置。
【請求項１２】
受信品質を測定する受信品質測定手段と、
測定された前記受信品質をその変化に応じて変更して表示する表示手段と、をさらに具備し、
前記制御手段は、前記検出手段が所定時間内に前記第２の操作を検出しない場合に前記測定を停止させる、
請求項９記載の無線通信装置。
【請求項１３】
前記無線通信手段は、通信可能な無線ＬＡＮのアクセスポイントを間欠的に探索するとともに、前記探索により見つけたアクセスポイントと通信を行い、
前記制御手段は、前記検出手段が所定時間内に前記第２の操作を検出しない場合に、前記検出手段が前記第２の操作を検出した場合に比べて前記探索の周期を長くする、
請求項９記載の無線通信装置。
【請求項１４】
受信品質を測定する受信品質測定手段と、
測定された前記受信品質をその変化に応じて変更して表示する表示手段と、をさらに具備し、
前記制御手段は、前記検出手段が所定時間内に前記第２の操作を検出しない場合に、前記検出手段が前記第２の操作を検出した場合に比べて前記表示の変更の頻度を少なくさせる、
請求項９記載の無線通信装置。
【発明の詳細な説明】
【技術分野】
【０００１】
本発明は、無線通信装置に関し、例えば無線ＬＡＮ（Local Area Network）等の無線通信システムにおいて消費電力を低減する無線通信装置に関する。
【背景技術】
【０００２】
近年、無線ＬＡＮ等の無線通信システムにおいて、無線通信装置の消費電力を低減することが要求されている。
【０００３】
このような要求に対し、無線通信装置の通信回路の電源または動作周波数を制御することで、消費電力を低減できることが知られている。
【０００４】
また、通信回路の省電力制御方法としては、例えば、ＩＥＥＥ８０２．１１のパワーセーブモードが一般的に知られている。このパワーセーブモードにおいて、無線通信装置は、アクセスポイントから定期的に送信されるビーコンを任意のビーコン受信タイミングで間欠受信する。そして、無線通信装置は、自装置宛のデータがある場合は受信処理を継続し、自装置宛のデータがない場合は次のビーコン受信タイミングまで通信回路を低消費電力モードに遷移する。
【０００５】
しかしながら、従来の省電力制御方法では、通信回路の間欠受信の周期を最適化していないため、消費電力の低減に限界がある。
【０００６】
このような課題に対して、通信回路の間欠受信の周期を最適化し、消費電力を低減する無線通信装置が知られている（例えば、特許文献１）。
【０００７】
特許文献１では、無線通信装置は、基地局を介して外部と通信を行うアプリケーションを実行するアプリケーション実行手段と、アプリケーション実行手段にて実行されているアプリケーションの種類および通信特性に応じた定期的な信号の送信周期を送信周期設定要求手段に通知する通信インタフェース手段とを備える。
【特許文献１】特開２００５−１３０４３６号公報
【発明の開示】
【発明が解決しようとする課題】
【０００８】
しかしながら、特許文献１においては、通信回路の間欠受信の周期を最適化する際、ユーザの状態を考慮していないため、必要以上に消費電力が大きくなるという問題がある。ここで、ユーザの状態とは、無線通信装置を操作している状態または無線通信装置を操作していない状態である。また、無線通信装置を操作している状態とは、例えば電話アプリケーションを想定した場合、直ぐに電話にでることができる状態であり、例えばＷｅｂブラウジングアプリケーションを起動しＷｅｂサイトを閲覧している状態、または画像ビューワアプリケーションを起動し写真を閲覧している状態等である。また、無線通信装置を操作していない状態とは、例えば電話アプリケーションを想定した場合、直ぐに電話にでることができない状態であり、例えば２つ折り開閉式無線通信装置を閉じた状態、またはユーザが無線通信装置を操作せず暫く時間が経過して液晶画面が暗くなった状態等である。
【０００９】
つまり、同じ電話アプリケーションが起動されている状態でも、無線通信装置を操作していない状態に着信があった場合、ユーザが直ぐに電話にでることができないため、無線通信装置を操作している状態に比べ、着信の即応性の要求が低い。しかし、従来では、ユーザの状態に応じて間欠受信の周期を最適化していないため、無線通信装置を操作していない状態では即応性の要求が低いにもかかわらず、無線通信装置を操作している状態と同様に間欠受信を行い、消費電力を低減することができないという問題がある。
【００１０】
本発明はかかる点に鑑みてなされたものであり、必要以上に消費電力を大きくせずに、消費電力を確実に低減することができる無線通信装置を提供することを目的とする。
【課題を解決するための手段】
【００１１】
本発明の無線通信装置は、無線回線を用いて通信を行う無線通信手段と、ユーザによる操作を検出する検出手段と、前記検出手段の検出結果に応じて前記無線通信手段を制御する制御手段と、を具備する構成を採る。
【発明の効果】
【００１２】
本発明によれば、必要以上に消費電力を大きくせずに、消費電力を低減することができる。
【発明を実施するための最良の形態】
【００１３】
以下、本発明の実施の形態について、図面を参照して詳細に説明する。
【００１４】
（実施の形態）
図１は、本発明の実施の形態に係る通信システム１００の構成を示す図である。
【００１５】
通信システム１００は、無線通信装置１０１、無線ＬＡＮ１０２、アクセスポイント１０３及びネットワーク１０４を含む。
【００１６】
無線通信装置１０１は、例えば携帯電話等の通信端末装置であり、無線ＬＡＮ１０２、アクセスポイント１０３及びネットワーク１０４を介して、ネットワーク１０４に接続する図示しない通信相手装置または外部機器等との通信を行う。
【００１７】
アクセスポイント１０３は、無線ＬＡＮ１０２のアクセスポイントであり、無線ＬＡＮ１０２を介して無線通信装置１０１と接続する。また、アクセスポイント１０３は、無線通信装置１０１と外部機器との通信を中継する。
【００１８】
ネットワーク１０４は、アクセスポイント１０３と通信相手装置または外部機器とを接続する。
【００１９】
なお、本実施の形態において、無線通信装置１０１とアクセスポイント１０３とは無線ＬＡＮにより接続するインフラストラクチャモードの場合について説明するが、本発明はこれに限らず、アドホックモードでも良く、無線ＬＡＮに限定されない。
【００２０】
次に、無線通信装置１０１の構成について、図２を用いて説明する。図２は、無線通信装置１０１の構成を示すブロック図である。
【００２１】
無線通信装置１０１は、無線ＬＡＮデバイス部２０１、受信品質決定部２０２、開閉検出部２０３、入力部２０４、ユーザ状態管理部２０５、処理実行部２０６、表示部２０７及び無線ＬＡＮ制御部２０８から主に構成される。
【００２２】
無線ＬＡＮデバイス部２０１は、アクセスポイント１０３に接続していない場合、自動スキャン周期でプローブリクエストを送信し、周期的に自動スキャンを行い、無線ＬＡＮのアクセスポイント１０３を探索する。そして、無線ＬＡＮデバイス部２０１は、無線ＬＡＮ１０２を介して、自動スキャンにより見つけたアクセスポイント１０３と接続して通信を行う。
【００２３】
受信品質決定部２０２は、無線ＬＡＮデバイス部２０１がアクセスポイント１０３と接続している間、電界強度レベル（受信品質）を測定し、電界強度レベルに変更があった場合、無線ＬＡＮ制御部２０８に通知する。具体的には、受信品質決定部２０２は、表示部２０７に表示する電界強度レベル、電界強度レベル数、及び受信電界強度の範囲を対応付けた電界強度レベルテーブルを予め記憶している。また、受信品質決定部２０２は、無線ＬＡＮ制御部２０８から指示された電界強度レベル数を選択する。また、受信品質決定部２０２は、受信したビーコンの電界強度レベルを測定し、測定した電界強度レベルを用いて、選択した電界強度レベル数の電界強度レベルテーブルを参照することにより、表示部２０７に表示する電界強度レベルを選択する。そして、受信品質決定部２０２は、選択した電界強度レベルが前回選択した電界強度レベルと同じか否かを検出し、電界強度レベルが同じ場合には処理を終了する。一方、受信品質決定部２０２は、電界強度レベルが異なる場合には、電界強度レベルの変更を無線ＬＡＮ制御部２０８に通知する。なお、電界強度レベルテーブルについては、後述する。
【００２４】
なお、本実施の形態において、受信品質決定部２０２は、電界強度レベルを測定する際、測定した電界強度をそのまま使用するが、本発明はこれに限らず、所定時間測定した電界強度を平均化する等により、加工した測定値を用いて電界強度レベルを選択しても良い。
【００２５】
また、本実施の形態において、表示部２０７に表示する電界強度レベルの表示方法（例えば、アンテナの本数）または各電界強度レベルの表示を切り替える際の電界強度の範囲は限定しない。
【００２６】
また、本実施の形態において、プローブリクエストを送信するアクティブスキャンを行う場合について説明するが、本発明はこれに限らず、プローブリクエストを送信しないパッシブスキャンを行うようにしても良い。
【００２７】
また、本実施の形態において、自動スキャン周期は、１つの周期であるが、本発明はこれに限らず、複数の異なる周期でも良い。
【００２８】
開閉検出部２０３は、無線通信装置１０１の筐体の開閉を検出する。そして、開閉検出部２０３は、開閉を検出した際に、検出結果をユーザ状態としてユーザ状態管理部２０５に通知する。ここで、開閉とは、無線通信装置１０１が少なくとも２つの筐体から構成される場合において、筐体が折り畳み自在である場合に、折り畳んだ状態から開いた状態になること、または開いた状態から折り畳んだ状態になることを意味する。また、上下に重なった筐体が互いに平行にスライド可能である場合に、スライドした状態から上下に重なった状態になること、または上下に重なった状態からスライドした状態になることを意味する。また、上下に重なった筐体の一方が他方に対して回転自在に取り付けられている場合に、一方の筐体の正面側と他方の筐体とが互いに向き合って重なり合った状態から一方の筐体の背面側（正面側と反対側）と他方の筐体とが互いに向き合って重なり合った状態になること、または一方の筐体の背面側と他方の筐体とが互いに向き合って重なり合った状態から一方の筐体の正面側と他方の筐体とが互いに向き合って重なり合った状態になることを意味する。
【００２９】
入力部２０４は、ユーザが無線通信装置１０１を操作するためのユーザインタフェースである。具体的には、入力部２０４は、ボタン、キー、マウス、タブレット、ポインティングデバイス、タッチパネルまたはタッチパッド等の入力デバイスであるか、またはその制御ソフトウェアである。入力部２０４は、例えば、ボタンの押下、マウスの移動、タッチパネルのクリックなどのユーザの操作の有無を検出し、ユーザの操作を検出した際に、検出結果をユーザ状態としてユーザ状態管理部２０５に通知する。また、入力部２０４は、ユーザの操作に応じて、処理実行部２０６に所定の処理を実行させるための制御信号を処理実行部２０６へ出力する。
【００３０】
ユーザ状態管理部２０５は、ユーザ状態を管理し、ユーザ状態に基づいて無線ＬＡＮの動作を制御する。具体的には、ユーザ状態管理部２０５は、ユーザ状態と、無線ＬＡＮの動作とを対応付けた無線ＬＡＮ動作テーブルを予め記憶し、開閉検出部２０３及び入力部２０４から取得したユーザ状態を用いてテーブルを参照することにより、無線ＬＡＮの動作を選択する。そして、ユーザ状態管理部２０５は、選択した無線ＬＡＮの動作に基づいて、無線ＬＡＮ制御部２０８に無線ＬＡＮの動作変更を指示する。
【００３１】
処理実行部２０６は、無線通信装置１０１を使用するユーザの入力部２０４の操作により所定の処理を実行する。具体的には、処理実行部２０６は、ユーザの操作により、例えば、電話アプリケーションまたはＷｅｂブラウジングアプリケーション等の、無線ＬＡＮデバイス部２０１を介して通信を行うアプリケーション（通信アプリケーション）等を動作させることにより、各種の処理を実行する。また、処理実行部２０６は、画像ビューワアプリケーション、電卓アプリケーションまたはカレンダーアプリケーション等の、無線ＬＡＮデバイス部２０１を介して通信を行わないアプリケーション（汎用アプリケーション）等を動作させることにより、各種の処理を実行する。
【００３２】
表示部２０７は、液晶または有機ＥＬ等の表示デバイスであるか、またはその制御ソフトウェアである。表示部２０７は、無線ＬＡＮ制御部２０８から電界強度レベルの表示の変更を指示された際に、変更後の電界強度レベルを例えばアンテナバーとして表示する。
【００３３】
無線ＬＡＮ制御部２０８は、ユーザ状態管理部２０５が選択した無線ＬＡＮの動作の変更内容に基づいて、無線ＬＡＮデバイス部２０１を制御するとともに、必要に応じて、受信品質決定部２０２に電界強度レベル数の変更を指示する。また、無線ＬＡＮ制御部２０８は、電界強度レベルの変更の通知を受信品質決定部２０２から受けた場合に、電界強度レベルを変更して表示するように表示部２０７を制御する。
【００３４】
ここで、電話アプリケーションとは、ＳＩＰ（Session Initiation Protocol）等のセッション制御プロトコルを用いて外部機器とＶｏＩＰ（Voice over Internet Protocol）等の通信を行うアプリケーションであり、通話や待ち受け等の電話機能に関する処理を実行する。なお、電話アプリケーションが起動されると、待ち受け状態に遷移し、着呼又は発呼により通話状態に遷移する。その後、終話により再度待ち受け状態に遷移する。
【００３５】
また、Ｗｅｂブラウジングアプリケーションとは、ＨＴＴＰ（Hypertext Transfer Protocol）等の通信プロトコルを用いてＷｅｂサイトを閲覧するアプリケーションであり、ブラウザまたはウィジェットの起動などの処理を実行する。なお、ブラウザやウィジェットが起動されると、通信待機状態に遷移し、ユーザの操作又は自立的に通信状態に遷移する。その後、通信完了により再度通信待機状態に遷移する。
【００３６】
また、画像ビューワアプリケーションとは、ユーザの操作により画像の表示、編集または操作等の画像処理機能を実行するアプリケーションである。
【００３７】
また、電卓アプリケーションとは、ユーザの操作により計算等の電卓機能の処理を実行するアプリケーションである。
【００３８】
また、カレンダーアプリケーションとは、ユーザの操作によりスケジュール管理等のカレンダー機能を実行するアプリケーションである。
【００３９】
図３は、ユーザ状態管理部２０５が記憶する無線ＬＡＮ動作テーブルを示す図である。また、図４は、ユーザ状態の状態遷移図である。
【００４０】
図３及び図４より、ユーザ状態は、第１の操作状態、第２の操作状態、第１の非操作状態及び第２の非操作状態の４つの状態を取り得る。また、各ユーザ状態において、「第１」とは無線通信装置１０１の筐体が開いた状態を示すものであり、「第２」とは無線通信装置１０１の筐体が閉じた状態を示す。また、各ユーザ状態において、「操作状態」とはユーザにより入力部２０４が操作された状態を示すものであり、「非操作状態」とは所定時間内にユーザにより入力部２０４の操作がされなかった状態を示す。
【００４１】
即ち、第１の操作状態から第１の非操作状態への状態変化（Ｅ３００）は、無線通信装置１０１の筐体を開いた状態において、所定時間内にユーザにより入力部２０４が操作されなかった状態である。また、第１の操作状態から第２の操作状態への状態変化（Ｅ３０１）は、無線通信装置１０１の筐体を開いた状態から閉じた状態にした場合である。また、第１の非操作状態から第１の操作状態への状態変化（Ｅ３０２）は、無線通信装置１０１の筐体を開いた状態において、ユーザにより入力部２０４の操作がされた状態である。また、第１の非操作状態から第２の操作状態への状態変化（Ｅ３０３）は、無線通信装置１０１の筐体を開いた状態から閉じた状態にした場合である。また、第２の操作状態から第２の非操作状態への状態変化（Ｅ３０４）は、無線通信装置１０１の筐体を閉じた状態において、所定時間内にユーザにより入力部２０４が操作されなかった状態である。また、第２の操作状態から第１の操作状態への状態変化（Ｅ３０５）は、筐体を閉じた状態から開いた状態にした場合である。また、第２の非操作状態から第２の操作状態への状態変化（Ｅ３０６）は、無線通信装置１０１の筐体を閉じた状態において、ユーザにより入力部２０４の操作がされた状態である。また、第２の非操作状態から第１の操作状態への状態変化（Ｅ３０７）は、無線通信装置１０１の筐体を閉じた状態から開いた状態にした場合である。
【００４２】
次に、無線通信装置１０１の動作について説明する。
【００４３】
最初に、状態変化（Ｅ３０３）及び状態変化（Ｅ３０７）における無線通信装置１０１の動作について、図５を用いて説明する。図５は、状態変化（Ｅ３０３）及び状態変化（Ｅ３０７）における無線通信装置１０１の動作を示すシーケンス図である。
【００４４】
図５より、無線ＬＡＮデバイス部２０１は、無線ＬＡＮ制御部２０８の制御によりパワーセーブモードに設定されている。また、処理実行部２０６は、電話アプリケーションを起動している。また、ユーザ状態管理部２０５は、入力部２０４がユーザにより操作されていない状態であると判断している。
【００４５】
この場合において、入力部２０４は、ユーザ操作を検出した場合に、検出結果をユーザ状態管理部２０５へ通知するとともに（ステップＳＴ５０１）、ユーザ操作を検出した場合にはユーザ操作に応じた制御信号を処理実行部２０６へ出力する（ステップＳＴ５０２）。
【００４６】
次に、開閉検出部２０３は、筐体が閉じた状態から開いた状態になったことを検出すると、検出結果をユーザ状態管理部２０５に通知する（ステップＳＴ５０３）。
【００４７】
次に、ユーザ状態管理部２０５は、第１の非操作状態から第２の操作状態（Ｅ３０３）、または第２の非操作状態から第１の操作状態（Ｅ３０７）の状態変化を検出する。
【００４８】
そして、ユーザ状態管理部２０５は、無線ＬＡＮ動作テーブルを参照して、状態変化に応じた動作変更を選択し、選択した動作変更の通知であるユーザ状態変更通知を無線ＬＡＮ制御部２０８へ通知する（ステップＳＴ５０４）。具体的には、ユーザ状態管理部２０５は、無線ＬＡＮ動作テーブルを参照して、状態変化（Ｅ３０３）の場合には、遷移先である第２の操作状態の無線ＬＡＮ動作を取得し、遷移先の無線ＬＡＮ動作と遷移元である第１の非操作状態の無線ＬＡＮ動作との差分を検出する。また、ユーザ状態管理部２０５は、状態変化（Ｅ３０７）の場合には、遷移先である第１の操作状態の無線ＬＡＮ動作を取得し、遷移先の無線ＬＡＮ動作と遷移元である第２の非操作状態の無線ＬＡＮ動作との差分を検出する。そして、ユーザ状態管理部２０５は、差分を検出した場合に状態変化に応じた動作変更を選択し、ユーザ状態変更通知を無線ＬＡＮ制御部２０８へ通知する。また、ユーザ状態管理部２０５は、入力部２０４がユーザにより操作されたと判断する。
【００４９】
無線ＬＡＮ制御部２０８は、ユーザ状態変更通知により指示された動作変更を行うように無線ＬＡＮデバイス部２０１を制御する無線ＬＡＮ制御指示を行う（ステップＳＴ５０５）。
【００５０】
次に、無線ＬＡＮデバイス部２０１は、状態変化（Ｅ３０３）の場合にはパワーセーブモードの設定を維持する。一方、無線ＬＡＮデバイス部２０１は、状態変化（Ｅ３０７）の場合にはパワーセーブモードからアクティブモードに設定を変更する（ステップＳＴ５０６）。
【００５１】
また、無線ＬＡＮ制御部２０８は、状態変化（Ｅ３０７）の場合には電界強度の非表示の状態から電界強度レベル数を４にすることを受信品質決定部２０２に指示する（ステップＳＴ５０７）。一方、無線ＬＡＮ制御部２０８は、状態変化（Ｅ３０３）の場合には電界強度レベル数の変更はないため、受信品質決定部２０２に指示しない。
【００５２】
次に、受信品質決定部２０２は、電界強度レベル数の変更を指示されると、電界強度レベル数を変更する。
【００５３】
受信品質決定部２０２は、電界強度レベルを測定し、測定した電界強度レベルを用いて、変更されたレベル数の電界強度レベルテーブルを参照して、電界強度レベルを決定する。
【００５４】
そして、受信品質決定部２０２は、決定した電界強度レベルを無線ＬＡＮ制御部２０８に通知する（ステップＳＴ５０８）。
【００５５】
次に、表示部２０７は、無線ＬＡＮ制御部２０８の制御により、受信品質決定部２０２が決定した電界強度レベルを表示する（ステップＳＴ５０９）。
【００５６】
なお、状態変化（Ｅ３０３）の場合、電界強度レベル数を変更しないので、無線通信装置１０１は、図５のステップＳＴ５０７〜ステップＳＴ５０９の動作を行わない。
【００５７】
以上で、図５の説明を終了する。
【００５８】
次に、状態変化（Ｅ３０２）及び状態変化（Ｅ３０６）における無線通信装置１０１の動作について、図６を用いて説明する。図６は、状態変化（Ｅ３０２）及び状態変化（Ｅ３０６）における無線通信装置１０１の動作を示すシーケンス図である。
【００５９】
図６より、無線ＬＡＮデバイス部２０１は、無線ＬＡＮ制御部２０８の制御によりパワーセーブモードに設定されている。また、処理実行部２０６は、電話アプリケーションを起動している。また、ユーザ状態管理部２０５は、入力部２０４がユーザにより操作されていない状態であると判断している。
【００６０】
この場合において、入力部２０４は、ユーザ操作を検出した場合に、検出結果をユーザ状態管理部２０５へ通知するとともに（ステップＳＴ６０１）、ユーザ操作を検出した場合にはユーザ操作に応じた制御信号を処理実行部２０６へ出力する（ステップＳＴ６０２）。
【００６１】
次に、ユーザ状態管理部２０５は、第１の非操作状態から第１の操作状態（Ｅ３０２）、または第２の非操作状態から第２の操作状態（Ｅ３０６）の状態変化を検出する。
【００６２】
そして、ユーザ状態管理部２０５は、無線ＬＡＮ動作テーブルを参照して、状態変化に応じた動作変更を選択し、選択した動作変更の通知であるユーザ状態変更通知を無線ＬＡＮ制御部２０８へ通知する（ステップＳＴ６０３）。具体的には、ユーザ状態管理部２０５は、状態変化（Ｅ３０２）の場合には、無線ＬＡＮ動作テーブルを参照して、遷移先である第１の操作状態の無線ＬＡＮ動作を取得し、遷移先の無線ＬＡＮ動作と遷移元である第１の非操作状態の無線ＬＡＮ動作との差分を検出する。また、ユーザ状態管理部２０５は、状態変化（Ｅ３０６）の場合には、無線ＬＡＮ動作テーブルを参照して、遷移先である第２の操作状態の無線ＬＡＮ動作を取得し、遷移先の無線ＬＡＮ動作と遷移元である第２の非操作状態の無線ＬＡＮ動作との差分を検出する。そして、ユーザ状態管理部２０５は、差分を検出した場合に状態変化に応じた動作変更を選択し、ユーザ状態変更通知を無線ＬＡＮ制御部２０８へ通知する。また、ユーザ状態管理部２０５は、入力部２０４がユーザにより操作されたと判断する。
【００６３】
無線ＬＡＮ制御部２０８は、ユーザ状態変更通知により指示された動作変更を行うように無線ＬＡＮデバイス部２０１を制御する無線ＬＡＮ制御指示を行う（ステップＳＴ６０４）。
【００６４】
次に、無線ＬＡＮデバイス部２０１は、状態変化（Ｅ３０６）の場合にはパワーセーブモードを維持し、状態変化（Ｅ３０２）の場合にはパワーセーブモードからアクティブモードに変更する（ステップＳＴ６０５）。
【００６５】
また、無線ＬＡＮ制御部２０８は、状態変化（Ｅ３０２）の場合には、電界強度レベル数を２から４に変更することを受信品質決定部２０２に指示する（ステップＳＴ６０６）。また、無線ＬＡＮ制御部２０８は、状態変化（Ｅ３０６）の場合には、電界強度レベル数を非表示から２に変更することを受信品質決定部２０２に指示する（ステップＳＴ６０６）。
【００６６】
次に、受信品質決定部２０２は、電界強度レベル数の変更を指示されると、電界強度レベル数を変更する。
【００６７】
受信品質決定部２０２は、電界強度レベルを測定し、測定した電界強度レベルを用いて、変更されたレベル数の電界強度レベルテーブルを参照して、電界強度レベルを決定する。
【００６８】
そして、受信品質決定部２０２は、決定した電界強度レベルを無線ＬＡＮ制御部２０８に通知する（ステップＳＴ６０７）。
【００６９】
次に、表示部２０７は、無線ＬＡＮ制御部２０８の制御により、受信品質決定部２０２が決定した電界強度レベルを表示する（ステップＳＴ６０８）。
【００７０】
以上で、図６の説明を終了する。
【００７１】
次に、状態変化（Ｅ３０１）及び状態変化（Ｅ３０５）における無線通信装置１０１の動作について、図７を用いて説明する。図７は、状態変化（Ｅ３０１）及び状態変化（Ｅ３０５）における無線通信装置１０１の動作を示すシーケンス図である。
【００７２】
図７より、無線ＬＡＮデバイス部２０１は、無線ＬＡＮ制御部２０８の制御により、状態変化（Ｅ３０１）の場合にはアクティブモードに設定されており、状態変化（Ｅ３０５）の場合にはパワーセーブモードに設定されている。また、処理実行部２０６は、電話アプリケーションを起動している。また、ユーザ状態管理部２０５は、入力部２０４がユーザにより操作されている状態であると判断している。
【００７３】
この場合において、開閉検出部２０３は、筐体が開いた状態から閉じた状態になったことを検出すると、検出結果をユーザ状態管理部２０５に通知する（ステップＳＴ７０１）。
【００７４】
次に、ユーザ状態管理部２０５は、第１の操作状態から第２の操作状態（Ｅ３０１）の状態変化、または第２の操作状態から第１の操作状態（Ｅ３０５）の状態変化を検出する。
【００７５】
そして、ユーザ状態管理部２０５は、無線ＬＡＮ動作テーブルを参照して、状態変化に応じた動作変更を選択し、選択した動作変更の通知であるユーザ状態変更通知を無線ＬＡＮ制御部２０８へ通知する（ステップＳＴ７０２）。具体的には、ユーザ状態管理部２０５は、状態変化（Ｅ３０１）の場合には、無線ＬＡＮ動作テーブルを参照して、遷移先である第２の操作状態の無線ＬＡＮ動作を取得し、遷移先の無線ＬＡＮ動作と遷移元である第２の操作状態の無線ＬＡＮ動作との差分を検出する。また、ユーザ状態管理部２０５は、状態変化（Ｅ３０５）の場合には、遷移先である第１の操作状態の無線ＬＡＮ動作を取得し、遷移先の無線ＬＡＮ動作と遷移元である第１の操作状態の無線ＬＡＮ動作との差分を検出する。そして、ユーザ状態管理部２０５は、差分を検出した場合に状態変化に応じた動作変更を選択し、ユーザ状態変更通知を無線ＬＡＮ制御部２０８へ通知する。また、ユーザ状態管理部２０５は、入力部２０４がユーザにより操作されていると判断する。
【００７６】
無線ＬＡＮ制御部２０８は、ユーザ状態変更通知により指示された動作変更を行うように無線ＬＡＮデバイス部２０１を制御する無線ＬＡＮ制御指示を行う（ステップＳＴ７０３）。
【００７７】
次に、無線ＬＡＮデバイス部２０１は、状態変化（Ｅ３０１）の場合にはアクティブモードからパワーセーブモードに変更し、状態変化（Ｅ３０５）の場合にはパワーセーブモードからアクティブモードに変更する（ステップＳＴ７０４）。状態変化（Ｅ３０１）の場合、無線ＬＡＮデバイス部２０１は、アクティブモードからパワーセーブに動作モードを変更することを指示されると、ＩＥＥＥ８０２．１１に規定されている方法で、動作モードを変更する。具体的には、無線ＬＡＮデバイス部２０１は、パワーセーブビットをセットした既定のパケットをアクセスポイント１０３に送信する。
【００７８】
また、無線ＬＡＮ制御部２０８は、状態変化（Ｅ３０１）の場合には、電界強度レベル数を４から２に変更することを受信品質決定部２０２に指示する（ステップＳＴ７０５）。また、無線ＬＡＮ制御部２０８は、状態変化（Ｅ３０５）の場合には、電界強度レベル数を２から４に変更することを受信品質決定部２０２に指示する（ステップＳＴ７０５）。
【００７９】
次に、受信品質決定部２０２は、電界強度レベルチェックのレベル数の変更を指示されると、電界強度レベル数を変更する。
【００８０】
受信品質決定部２０２は、電界強度レベルを測定し、測定した電界強度レベルを用いて、変更されたレベル数の電界強度レベルテーブルを参照して、電界強度レベルを決定する。
【００８１】
そして、受信品質決定部２０２は、決定した電界強度レベルを無線ＬＡＮ制御部２０８に通知する（ステップＳＴ７０６）。
【００８２】
次に、表示部２０７は、無線ＬＡＮ制御部２０８の制御により、受信品質決定部２０２が決定した電界強度レベルを表示する（ステップＳＴ７０７）。
【００８３】
以上で、図７の説明を終了する。
【００８４】
次に、状態変化（Ｅ３００）及び状態変化（Ｅ３０４）における無線通信装置１０１の動作について、図８を用いて説明する。図８は、状態変化（Ｅ３００）及び状態変化（Ｅ３０４）における無線通信装置１０１の動作を示すシーケンス図である。
【００８５】
図８より、無線ＬＡＮデバイス部２０１は、無線ＬＡＮ制御部２０８の制御により、状態変化（Ｅ３００）の場合にはアクティブモードであり、状態変化（Ｅ３０４）の場合にはパワーセーブモードである。また、処理実行部２０６は、電話アプリケーションを起動している。また、ユーザ状態管理部２０５は、入力部２０４がユーザにより操作されている状態であると判断している。
【００８６】
この場合において、入力部２０４は、所定期間内にユーザ操作を検出しない場合に、検出結果をユーザ状態管理部２０５へ通知する（ステップＳＴ８０１）。
【００８７】
次に、ユーザ状態管理部２０５は、第１の操作状態から第１の非操作状態（Ｅ３００）、または第２の操作状態から第２の非操作状態（Ｅ３０４）の状態変化を検出する。
【００８８】
そして、ユーザ状態管理部２０５は、無線ＬＡＮ動作テーブルを参照して、状態変化に応じた動作変更を選択し、選択した動作変更の通知であるユーザ状態変更通知を無線ＬＡＮ制御部２０８へ通知する（ステップＳＴ８０２）。具体的には、ユーザ状態管理部２０５は、状態変化（Ｅ３００）の場合には、無線ＬＡＮ動作テーブルを参照して、遷移先である第１の非操作状態の無線ＬＡＮ動作を取得し、遷移先の無線ＬＡＮ動作と遷移元である第１の操作状態の無線ＬＡＮ動作との差分を検出する。また、ユーザ状態管理部２０５は、状態変化（Ｅ３０４）の場合には、遷移先の第２の非操作状態の無線ＬＡＮ動作を取得し、遷移先の無線ＬＡＮ動作と遷移元である第２の操作状態の無線ＬＡＮ動作との差分を検出する。そして、ユーザ状態管理部２０５は、差分を検出した場合に状態変化に応じた動作変更を選択し、ユーザ状態変更通知を無線ＬＡＮ制御部２０８へ通知する。また、ユーザ状態管理部２０５は、入力部２０４がユーザにより操作されていないと判断する。
【００８９】
無線ＬＡＮ制御部２０８は、ユーザ状態変更通知により指示された動作変更を行うように無線ＬＡＮデバイス部２０１を制御する無線ＬＡＮ制御指示を行う（ステップＳＴ８０３）。
【００９０】
次に、無線ＬＡＮデバイス部２０１は、状態変化（Ｅ３００）の場合にはアクティブモードからパワーセーブモードに変更し（ステップＳＴ８０４）、状態変化（Ｅ３０４）の場合にはパワーセーブモードを維持する。
【００９１】
また、無線ＬＡＮ制御部２０８は、状態変化（Ｅ３００）の場合には、電界強度レベル数を４から２に変更することを受信品質決定部２０２に指示する（ステップＳＴ８０５）。また、無線ＬＡＮ制御部２０８は、状態変化（Ｅ３０４）の場合には、電界強度レベル数を２から非表示に変更することを受信品質決定部２０２に指示する（ステップＳＴ８０５）。
【００９２】
次に、受信品質決定部２０２は、電界強度レベル数の変更を指示されると、電界強度レベル数を変更する。
【００９３】
受信品質決定部２０２は、状態変化（Ｅ３００）の場合には、電界強度レベルを測定し、測定した電界強度レベルを用いて、変更された電界強度レベル数の電界強度レベルテーブルを参照して、電界強度レベルを決定する。また、受信品質決定部２０２は、状態変化（Ｅ３０４）の場合には、電界強度レベルの測定を停止する。
【００９４】
そして、受信品質決定部２０２は、状態変化（Ｅ３００）の場合には、決定した電界強度レベルを無線ＬＡＮ制御部２０８に通知する（ステップＳＴ８０６）。
【００９５】
次に、表示部２０７は、無線ＬＡＮ制御部２０８の制御により、受信品質決定部２０２が決定した電界強度レベルを表示する（ステップＳＴ８０７）。
【００９６】
なお、状態変化（Ｅ３０３）の場合、電界強度レベルを表示しないので、無線通信装置１０１は、図８のステップＳＴ８０６及びステップＳＴ８０７の動作を行わない。
【００９７】
次に、図９を用いて、動作モードと電界強度に着目した、第１の操作状態における無線通信装置１０１とアクセスポイント１０３間の動作を説明する。図９は、動作モードと電界強度に着目した、第１の操作状態における無線通信装置１０１とアクセスポイント１０３間の動作を説明する図である。
【００９８】
図９より、無線通信装置１０１は、ビーコン間隔（Ｔ１）で送信されるビーコンを全て受信し、電界強度レベルの測定を行う。このとき、電界強度レベル数は４に設定されているため、表示部２０７は、受信電界強度の変化に対して、各ビーコン間隔（Ｔ１）において、４段階でアンテナバーを表示することができる。
【００９９】
また、図９より、無線通信装置１０１は、アクセスポイント１０３に自装置宛のデータがある場合、次のビーコン受信を待たずにデータを受信する。
【０１００】
次に、図１０を用いて、動作モードと電界強度に着目した、第２の操作状態における無線通信装置１０１とアクセスポイント１０３の間の動作を説明する。図１０は、動作モードと電界強度に着目した、第２の操作状態における無線通信装置１０１とアクセスポイント１０３の間の動作を説明する図である。
【０１０１】
図１０より、無線通信装置１０１は、パワーセーブモードで動作しているが、ビーコン間隔（Ｔ１）で送信されるビーコンに同期して間欠受信し、電界強度レベルの測定を行う。このとき、電界強度レベル数は２に設定されているため、受信電界強度の変化に対して、各ビーコン間隔（Ｔ１）において、２段階でアンテナバーを表示することができる。
【０１０２】
次に、図１１を用いて、動作モードと電界強度に着目した、第１の非操作状態における無線通信装置１０１とアクセスポイント１０３の間の動作を説明する。図１１は、動作モードと電界強度に着目した、第１の非操作状態における無線通信装置１０１とアクセスポイント１０３の間の動作を説明する図である。
【０１０３】
図１１より、無線通信装置１０１は、パワーセーブモードで動作しているが、ＤＴＩＭ（Delivery Traffic Indication Message）間隔（Ｔ４）で送信されるビーコンに同期して間欠受信し、電界強度レベルの測定を行う。このとき、電界強度レベル数は２に設定されているため、受信電界強度の変化に対して、各ＤＴＩＭ間隔（Ｔ４）において、２段階でアンテナバーを表示することができる。
【０１０４】
また、動作モードと電界強度に着目した、第２の非操作状態における無線通信装置１０１とアクセスポイント１０３の間の動作は、電界強度レベルを非表示にする以外は、図１１と同一である。
【０１０５】
また、図１０及び図１１において、無線通信装置１０１は、アクセスポイント１０３に自装置宛のデータがある場合、ＩＥＥＥ８０２．１１に規定されている方法で、次のビーコン受信を待ってデータを受信することができる。具体的には、無線通信装置１０１は、受信したビーコンにセットしてあるＴＩＭ（Traffic Indication Map）情報から自装置宛のデータがあることを判断し、既定の送信要求パケット（ＰＳ−Ｐｏｌｌ）を送信し、データを受信することができる。
【０１０６】
次に、自動スキャン周期に着目した、第２の操作状態及び第１の非操作状態における無線通信装置１０１とアクセスポイント１０３の間の動作について、図１２を用いて説明する。図１２は、自動スキャン周期に着目した、第２の操作状態及び第１の非操作状態における無線通信装置１０１とアクセスポイント１０３の間の動作を示す図である。
【０１０７】
図１２より、無線通信装置１０１は、設定された自動スキャン周期（１分）でプローブリクエストを送信する。
【０１０８】
なお、自動スキャン周期に着目した、第１の操作状態における無線通信装置１０１とアクセスポイント１０３の間の動作は、アクティブモードに設定されている以外は図１２と同一である。
【０１０９】
次に、自動スキャン周期に着目した、第２の非操作状態における無線通信装置１０１とアクセスポイント１０３の間の動作について、図１３を用いて説明する。図１３は、自動スキャン周期に着目した、第２の非操作状態における無線通信装置１０１とアクセスポイント１０３の間の動作を示す図である。
【０１１０】
図１３より、無線通信装置１０１は、設定された自動スキャン周期（５分）でプローブリクエストを送信する。
【０１１１】
図１４は、無線通信装置１０１の筐体を閉じた状態の無線通信装置１０１の外観を示す図であり、図１５は、無線通信装置１０１の筐体を開いた状態の無線通信装置１０１の外観を示す図である。
【０１１２】
無線通信装置１０１は、筐体を閉じた状態及び筐体を開いた状態において、外部に露出する入力部２０４及び表示部２０７を有する。また、無線通信装置１０１は、例えばヒンジ部等の開閉部１４０１有する。開閉部１４０１は、上筐体１５０１と下筐体１５０２とを互いに回転自在に接続する。また、無線通信装置１０１は、開閉部１４０１の開閉を検出する開閉検出部２０３を有する。
【０１１３】
図１６は、受信品質決定部２０２が記憶する電界強度レベルテーブルを示す図である。電界強度レベルテーブルは、電界強度レベル数が４の場合と２の場合とで、異なる電界強度範囲を設定している。従って、無線通信装置１０１は、ユーザ状態に応じて電界強度レベル数を選択することにより、電界強度レベルを示すアンテナの表示部２０７における表示変更の頻度を変えることができる。
【０１１４】
このような無線通信装置１０１において、ユーザの状態に合わせて間欠受信の間隔を最適化できる。例えば、電話アプリケーションを想定した場合、ユーザが無線通信装置１０１を操作している状態のとき、間欠受信の間隔を短くすることで、着信があった場合に直ぐにユーザに通知することができる。また、ユーザが携帯端末を操作していない状態のとき、間欠受信の周期を長くすることで、通信回路の電力供給をＯＦＦにする時間を長くすることが可能となり、消費電力を抑えることができる。すなわち、ユーザの状態に応じて、間欠受信の間隔を動的に変更し、最適な値に設定することで、即応性を持ちかつ消費電力を抑えることが可能になる。
【０１１５】
このように、本実施の形態によれば、必要以上に消費電力が大きくならないため、消費電力を確実に低減することができる。また、本実施の形態によれば、ユーザの状態に応じて電界強度レベル数を変更することにより、電界強度レベルの表示を変更する頻度を変えることができるので、電界強度レベルの表示を変更することに伴って生じる電力消費を低減することができる。
【０１１６】
なお、本実施の形態において、筐体の開閉と入力部の操作の有無に応じて無線ＬＡＮの動作を制御したが、本発明はこれに限らず、筐体の開閉及び入力部の操作の有無以外の任意のユーザ操作の検出結果に応じて無線ＬＡＮの動作を制御することができる。また、本実施の形態において、受信品質として電界強度レベルを用いたが、本発明はこれに限らず、電界強度レベル以外の任意の測定値を受信品質として用いることができる。また、本実施の形態において、図４に示すように、状態変化（Ｅ３００）〜（Ｅ３０７）の場合に無線ＬＡＮの動作を制御したが、本発明はこれに限らず、状態変化（Ｅ３００）〜（Ｅ３０７）の場合に加えて、第１の非操作状態から第２の非操作状態に状態変化する場合、第１の操作状態から第２の非操作状態に状態変化する場合、第２の非操作状態から第１の非操作状態に状態変化する場合、及び第２の操作状態から第１の非操作状態に状態変化する場合にも無線ＬＡＮの動作を制御するようにしても良い。
【産業上の利用可能性】
【０１１７】
本発明にかかる無線通信装置は、例えば無線ＬＡＮ等の無線通信システムにおいて消費電力を低減するのに好適である。
【図面の簡単な説明】
【０１１８】
【図１】本発明の実施の形態に係る通信システムの構成を示す図
【図２】本発明の実施の形態に係る無線通信装置の構成を示すブロック図
【図３】本発明の実施の形態に係る無線ＬＡＮ動作テーブルを示す図
【図４】本発明の実施の形態に係るユーザ状態の状態遷移図
【図５】本発明の実施の形態に係る状態変化（Ｅ３０３）及び状態変化（Ｅ３０７）における無線通信装置の動作を示すシーケンス図
【図６】本発明の実施の形態に係る状態変化（Ｅ３０２）及び状態変化（Ｅ３０６）における無線通信装置の動作を示すシーケンス図
【図７】本発明の実施の形態に係る状態変化（Ｅ３０１）及び状態変化（Ｅ３０５）における無線通信装置の動作を示すシーケンス図
【図８】本発明の実施の形態に係る状態変化（Ｅ３００）及び状態変化（Ｅ３０４）における無線通信装置の動作を示すシーケンス図
【図９】本発明の実施の形態に係る動作モードと電界強度に着目した、第１の操作状態における無線通信装置とアクセスポイント間の動作を説明する図
【図１０】本発明の実施の形態に係る動作モードと電界強度に着目した、第２の操作状態における無線通信装置とアクセスポイントの間の動作を説明する図
【図１１】本発明の実施の形態に係る動作モードと電界強度に着目した、第１の非操作状態における無線通信装置とアクセスポイントの間の動作を説明する図
【図１２】本発明の実施の形態に係る自動スキャン周期に着目した、第２の操作状態及び第１の非操作状態における無線通信装置とアクセスポイントの間の動作を示す図
【図１３】本発明の実施の形態に係る自動スキャン周期に着目した、第２の非操作状態における無線通信装置とアクセスポイントの間の動作を示す図
【図１４】本発明の実施の形態に係る無線通信装置の筐体を閉じた状態にした場合の無線通信装置の外観図
【図１５】本発明の実施の形態に係る無線通信装置の筐体を開いた状態にした場合の無線通信装置の外観図
【図１６】本発明の実施の形態に係る電界強度レベルテーブルを示す図
【符号の説明】
【０１１９】
１００  通信システム
１０１  無線通信装置
１０３  アクセスポイント
１０４  ネットワーク
２０１  無線ＬＡＮデバイス部
２０２  受信品質決定部
２０３  開閉検出部
２０４  入力部
２０５  ユーザ状態管理部
２０６  処理実行部
２０７  表示部
２０８  無線ＬＡＮ制御部
１４０１  開閉部
１５０１  上筐体
１５０２  下筐体
【図１】
2010028672.tif 000003
【図２】
2010028672.tif 000004
【図３】
2010028672.tif 000005
【図４】
2010028672.tif 000006
【図５】
2010028672.tif 000007
【図６】
2010028672.tif 000008
【図７】
2010028672.tif 000009
【図８】
2010028672.tif 000010
【図９】
2010028672.tif 000011
【図１０】
2010028672.tif 000012
【図１１】
2010028672.tif 000013
【図１２】
2010028672.tif 000014
【図１３】
2010028672.tif 000015
【図１４】
2010028672.tif 000016
【図１５】
2010028672.tif 000017
【図１６】
2010028672.tif 000018